(57)【要約】【課題】商品選択釦を自由にレイアウト可能とし、作業効率を改善でき、前面パネルにかかる応力を軽減できる自動販売機の選択釦取付装置を提供することを目的とする。【解決手段】透明な前面パネル５０に選択商品釦４１の一部を個別に挿通させる挿通孔５１を形成し、横一列の複数の選択商品釦４１を選択商品釦４１同士が横方向に対して互いに離れた状態で前面パネル５０に取り付ける取付金具５３を設け、前面パネル５０に設けた挿通孔５１と取付金具５３に設けた位置決め挿通孔５４とに、選択商品釦４１の一部を挿通させた状態でねじ６１を用いて取付金具５３に取り付け、前面パネル５０の挿通孔５１とこの挿通孔５１に挿通させる選択商品釦４１の一部との間に、取付金具５３と前面パネル５０との熱膨張率差に応じた隙間が形成されるように、前面パネル５０の挿通孔５１を形成する。【選択図】図７
2007316680.tif 000002
【特許請求の範囲】
【請求項１】
前面扉に設けた前面パネルに対して、複数の選択釦をこれらの選択釦同士が横方向に対して互いに離れた状態で横並びにかつ個別に取り付ける自動販売機の選択釦取付装置であって、
前記前面パネルに、前記選択釦の一部を個別に挿通させる挿通孔を形成し、
横一列の複数の前記選択釦を、選択釦同士が横方向に対して互いに離れた状態で前記前面パネルに取り付ける取付金具を設け、
この取付金具に、前記選択釦の一部が挿入されるとともに前記取付金具に対する選択釦の位置決め孔としても兼用される位置決め挿通孔を、各選択釦毎に設け、
前記前面パネルに設けた挿通孔と前記取付金具に設けた位置決め挿通孔とに、前記選択釦の一部を挿通させた状態で、前記選択釦を取付用部品を用いて取付金具に取り付けることにより、前面パネルを選択釦と取付金具とにより前後から挟んだ状態で取り付けるように構成したこと
を特徴とする自動販売機の選択釦取付装置。
【請求項２】
前記前面パネルの挿通孔とこの挿通孔に挿通させる選択釦の一部との間に、前記取付金具と前面パネルとの熱膨張率差に応じた隙間が形成されるように、前面パネルの挿通孔を形成したこと
を特徴とする請求項１に記載の自動販売機の選択釦取付装置。
【請求項３】
前記前面パネルの中央部に設けた挿通孔の大きさと比較して、この中央部の挿通孔より左右外方部に設けた挿通孔の大きさを大としたこと
を特徴とする請求項２に記載の自動販売機の選択釦取付装置。
【請求項４】
前記取付金具を、側面断面視がコ字形状の長尺体で形成して、この取付金具を前記選択釦に接続される配線の配線ダクトとして使用し、
前記取付金具の開放部を覆うカバーを設けたこと
を特徴とする請求項１〜請求項３のいずれか１項に記載の自動販売機の選択釦取付装置。
【発明の詳細な説明】
【技術分野】
【０００１】
本発明は、自動販売機の選択釦取付装置に関するものである。
【背景技術】
【０００２】
従来のタバコなどの箱型商品を販売する自動販売機の一例を、図８〜図１１を用いて説明する。
前面扉１が自動販売機本体２に開閉自在に取り付けられており、この前面扉１の前面には、販売するタバコなどの商品３の複数の商品サンプル１１、各商品サンプル１１に対応して配置された商品選択釦１２、商品３を購入するときに硬貨を投入する硬貨投入口１３、同じく紙幣を投入する紙幣投入口１４、利用者が投入したコインなどの金額を表示する投入金額表示部１５、釣銭や投入金を返却させるための返却レバー１６、コイン返却口１７、および購入した商品３を取り出す商品取出口１８が設けられている。
【０００３】
また自動販売機本体２内に上下に複数段（例えば上段、中段、下段の３段）の商品収納部２１が設けられ、各商品収納部２１は、上下に延びる仕切板（図示せず）により左右方向に分割されて横方向に複数列並ぶように配設されている。また各商品収納部２１の下端部には、商品３を所定方向に押し出すプッシャ２３を備えた商品搬送機構２４が配設され、商品３はこの商品搬送機構２４上に、上下に直積みして収納されている。
【０００４】
また、この自動販売機においては、自動販売機本体２内の商品収納部２１が、手前側と奥側との２つに分けられて配設されており、奥側の商品収納部２１Ａは自動販売機本体２内の奥部に取り付けられ、また、手前側の商品収納部２１Ｂは前面扉１の裏面に取り付けられている。そして、これらの奥側の商品収納部２１Ａと手前側の商品収納部２１Ｂとの間に、商品収納部２１（２１Ａ、２１Ｂ）から払い出された商品を落下させる商品用落下通路２５が設けられ、この商品用落下通路２５に払い出された商品３を受けて、前面扉１の下部に設けられた前記商品取出口１８に導く払出用シュート２６が設けられている。
【０００５】
また図９において、２７は、払い出されるべきでない商品３が、商品用落下通路２５側へ落下することを防止する落下防止紐を示している。
上記商品選択釦１２は複数個（例えば４個）毎に、商品選択スイッチユニット（選択釦取付装置）としてまとめられ（ユニット化され）、この商品選択スイッチユニットが商品サンプル１１の前面を覆うアクリルの透明な前面パネル１９に密接した状態で取り付けられている。このような商品選択スイッチユニットは、例えば特許文献１に開示されている。
【０００６】
図１０に示すように、特許文献１に開示されている商品選択スイッチユニット３０は、自動販売機の前面パネル１９に密接した状態で、前面パネル１９の背面側に配設された取付金具３９に内側からねじ止めされるベース３１と、ベース３１に凹凸係合により取り付けられたケース３２からなり、４個の商品選択釦１２が、ケース３２の開口を貫通して内部から突出して設けられている。
【０００７】
また前記ベース３１は、前面パネル１９の挿通孔および挿入孔（図示せず）にそれぞれ通される挿通部３３および挿入部３４を有し、前記挿通部３３内には、コネクタ３７が設けられている。
【０００８】
また各商品選択スイッチユニット３０のベース３１間を接続するジョインタ３８が設けられ、ベース３１の挿入部３４およびジョインタ３８には、固定用のねじ４０が挿入されてねじ止めされるねじ孔３４ａおよび３８ａを有している。またジョインタ３８に対応して前面パネル１９に挿入孔（図示せず）が設けられている。
【０００９】
そして、ベース３１の挿入部３４およびジョインタ３８を自動販売機の前面パネル１９の挿入孔に通し、前面パネル１９の背面側に配設された取付金具３９にベース３１の挿通部３３および挿入部３４の背面部を密接させた状態で、ベース３１の挿入部３４のねじ孔３４ａ、およびジョインタ３８のねじ孔３８ａにねじ４０を通すことによりベース３１を前面パネル１９に密接した状態で取り付けている。
【特許文献１】特開２００１−５２２４２号公報
【発明の開示】
【発明が解決しようとする課題】
【００１０】
しかしながら、従来の商品選択スイッチユニット（選択釦取付装置）３０では、複数個の商品選択釦１２をユニット化した状態で取り付けていることにより、隣り合う商品選択釦１２同士が良好に配列された姿勢で配置される利点が有る一方で、ユニット化されているために商品選択釦１２の数が固定され、かつ間隔が固定されているために商品サンプル１１や商品選択釦１２を自由にレイアウトできないという問題があった。
【００１１】
そこで、レイアウトを自由に行えるようにするために、商品選択釦１２をそれぞれ単独で前面パネル１９に嵌め込んだ状態で取り付けることが考えられ、この場合には、商品選択釦１２のベース３１の挿入部３４を、前面パネル１９に形成した挿入孔を通して、挿入部３４のねじ孔３４ａなどにねじ４０をねじ込んで取り付けることになるが、前面パネル１９に形成した商品選択釦１２を嵌め込む挿入部の精度が悪いと、商品選択釦１２の姿勢が傾き（がたつき）、不揃いになる恐れがある。ここで、前面パネル１９は一般にアクリル板などの透光性を有する部材で製造されるが、がたつきのないように高精度に孔（挿入部）を形成することは極めて困難であり、製造コストも大幅に増加してしまう。また自動販売機が太陽光の影響を受ける道路等に設置されると、太陽光の照射により前面パネル１９が暖められて熱膨張するが、一般に前面パネル１９の膨張率が取付金具の膨張率より大きいので、商品選択釦１２の取付間隔が広がり、商品選択釦１２により前面パネル１９に圧縮応力がかかり、前面パネル１９が変形する恐れがあった。
【００１２】
そこで、本発明は、商品選択釦を自由にレイアウト可能に構成しながら、前面パネルにかかる応力を軽減でき、かつ商品選択釦が不揃いにならないような自動販売機の選択釦取付装置を提供することを目的としたものである。
【課題を解決するための手段】
【００１３】
前述した目的を達成するために、本発明のうち請求項１に記載の発明は、前面扉に設けた前面パネルに対して、複数の選択釦をこれらの選択釦同士が横方向に対して互いに離れた状態で横並びにかつ個別に取り付ける自動販売機の選択釦取付装置であって、前記前面パネルに、前記選択釦の一部を個別に挿通させる挿通孔を形成し、横一列の複数の前記選択釦を、選択釦同士が横方向に対して互いに離れた状態で前記前面パネルに取り付ける取付金具を設け、この取付金具に、前記選択釦の一部が挿入されるとともに前記取付金具に対する選択釦の位置決め孔としても兼用される位置決め挿通孔を、各選択釦毎に設け、前記前面パネルに設けた挿通孔と前記取付金具に設けた位置決め挿通孔とに、前記選択釦の一部を挿通させた状態で、前記選択釦を取付用部品を用いて取付金具に取り付けることにより、前面パネルを選択釦と取付金具とにより前後から挟んだ状態で取り付けるように構成したことを特徴とするものである。
【００１４】
上記構成によれば、前面パネルに選択釦の一部を挿通させる挿通孔を形成しただけでなく、取付金具にも選択釦の一部を挿通させる挿通孔を形成し、この挿通孔を選択釦の位置決め孔として兼用させることにより、選択釦を取り付けた際に、選択釦は取付金具の挿通孔により位置決めされる。したがって、取付金具の挿通孔を精度よく形成することで、取付金具の挿通孔に選択釦を挿入して組み付けるだけで、選択釦同士の姿勢が傾いて不揃いになることはなく、選択釦を良好に配列させた状態で配設することができ、また取付金具に挿通孔を精度よく形成することは比較的容易に行うことができることから、製造コストの増加も最小限に抑えることができる。
【００１５】
また請求項２に記載の発明は、請求項１に記載の発明であって、前記前面パネルの挿通孔とこの挿通孔に挿通させる選択釦の一部との間に、前記取付金具と前面パネルとの熱膨張率差に応じた隙間が形成されるように、前面パネルの挿通孔を形成したことを特徴とするものである。
【００１６】
上記構成によれば、前面パネルの挿通孔とこの挿通孔に挿通させる選択釦の一部との間に、取付金具と前面パネルとの熱膨張率差に応じた隙間が形成されるように、前面パネルの挿通孔を形成したことにより、取付金具と前面パネルが熱膨張したときに、取付金具に固定された選択釦が前記隙間を移動し、前面パネルが選択釦より受ける圧縮応力が緩和され、また取付金具が選択釦より受ける引張応力が緩和される。
【００１７】
また請求項３に記載の発明は、請求項２に記載の発明であって、前記前面パネルの中央部に設けた挿通孔の大きさと比較して、この中央部の挿通孔より左右外方部に設けた挿通孔の大きさを大としたことを特徴とするものである。
【００１８】
上記構成によれば、前面パネルの中央部に設けた挿通孔に一部が挿通される選択釦を基準として、取付金具と前面パネルが熱膨張したとき、その左右外方に位置する選択釦が隙間を移動し、前面パネルの左右方向への熱膨張が許容される。
【００１９】
また請求項４に記載の発明は、請求項１〜請求項３のいずれか１項に記載の発明であって、前記取付金具を、側面断面視がコ字形状の長尺体で形成して、この取付金具を前記選択釦に接続される配線の配線ダクトとして使用し、前記取付金具の開放部を覆うカバーを設けたことを特徴とするものである。
【００２０】
上記構成によれば、取付金具が側面断面視がコ字形状の長尺体で形成されていることにより、取付金具を、選択釦の裏面に接続される配線のダクトとして利用でき、また前面パネルの裏面に取り付けられた取付金具の開放部がカバーにて覆われることにより、選択釦の裏面にゴミや埃が付くことが回避される。
【発明の効果】
【００２１】
本発明の自動販売機の選択釦取付装置は、選択釦のレイアウトの自由を保障することができ、さらに取付金具に形成した挿通孔を選択釦の位置決め孔として兼用させることにより、選択釦を取り付ける際に、選択釦をこの取付金具の挿通孔により位置決めでき、選択釦を不揃いとならずに良好に配列させた状態で配設することができる。また取付金具に挿通孔を精度よく形成することは比較的容易に行うことができることから、製造コストの増加も最小限に抑えることができる、という効果を有している。
【００２２】
また自動販売機の選択釦取付装置は、取付金具と前面パネルが熱膨張したときに取付金具に固定された選択釦が隙間を移動することにより、前面パネルが選択釦より受ける圧縮応力を緩和でき、また取付金具が選択釦より受ける引張応力を緩和でき、熱膨張時に前面パネルと取付金具に発生する変形を抑えることができる、という効果を有している。
【００２３】
また本発明の自動販売機の選択釦取付装置は、取付金具と前面パネルが熱膨張したときに前面パネルの左右方向への熱膨張が許容されることにより、選択釦の取付位置の左右のバランスが維持され、美観が維持される、という効果を有している。
【００２４】
また本発明の自動販売機の選択釦取付装置は、取付金具が側面断面視がコ字形状の長尺体で形成されていることにより、取付金具を、選択釦の裏面に接続される配線のダクトとして利用でき、また前面パネルの裏面に取り付けられた取付金具の開放部がカバーにて覆われることにより、選択釦の裏面にゴミや埃が付くことを回避できる、という効果を有している。
【発明を実施するための最良の形態】
【００２５】
以下、本発明の実施の形態を、図面を参照しながら説明する。なお、背景の技術で説明した自動販売機と同一の構成には同一の符号を付して説明を省略する。
図１は本発明の実施の形態における自動販売機の正面図であり、本発明では、透明な前面パネル５０に、前面から見て、複数（１列１２個で７段）の商品選択釦（押釦スイッチ）（選択釦の一例）４１がそれぞれ単独で、且つ商品選択釦４１同士が横方向に対して互いに離れた状態で、前面パネル５０の背面に設けられる取付金具５３（詳細は後述する）に取り付けられている。
【００２６】
本発明の商品選択釦４１は、図２に示すように、自動販売機の前面パネル５０に内側から、ねじ止めされるベース４２と、ベース４２に凹凸係合により取り付けられ前面パネル５０の表面に表れるケース４３からなり、ケース４３に支持されて、照光される表示部（商品３を購入可能なことを示すランプ部と売切れを示すランプ部）４４を有するスイッチ部４５が設けられている。またベース４２には、裏面側に、コネクタ４６と、ねじ孔４７を有す取付部４８と、コネクタ４６の外周（詳しくはコネクタ４６の上下および外側面）において突出する突出部（選択釦の挿通される一部に相当する）４９とが設けられている。突出部４９および取付部４８の回りには、シリコーン製のパッキン４２Ａが設けてある。
【００２７】
また本発明の前面パネル５０には、図３に示すように、１列１２個の商品選択釦４１が、上下７段に渡って取り付けられるように、ベース４２の突出部４９が挿通される挿通孔５１が設けられている。また前面パネル５０は、アクリル板で形成されている。
【００２８】
各挿通孔５１は角孔からなり、図３、図４に示すように、各列の中央部の２個の挿通孔５１Ａは、基準の取付孔となっており、略ベース４２の突出部４９の寸法に合わせてあり、突出部４９との間の隙間として横の余裕値（例えば、左右合わせて０．４ｍｍ）と縦の余裕値（例えば、上下合わせて０．８ｍｍ）を有している。また各列の左右端の２個の挿通孔５１Ｂは、基準の中央部の挿通孔５１Ａと比較し、隙間として横の余裕値を大きく取り（例えば左右にＬ＝１．１ｍｍずつ大きい）、逆に縦の余裕値を少なくしている（例えば上下にＫ＝０．２５ｍｍずつ中央部の挿通孔５１Ａが大きい）。また残りの挿通孔５１Ｃは、基準の中央挿通孔５１Ａと比較し、隙間として横の余裕値を大きく取り（例えば左右にＬ＝１．１ｍｍ大きい）、縦の余裕値は同じとしている。
【００２９】
また前面パネル５０には、図３および図４に示すように、１列１２個の商品選択釦４１が取り付けられる箇所の裏面に、遮光性を有する白色の帯体５２が印刷され、商品選択釦４１の裏側の取り付けが見えないように遮光するとともに、美観を良くしている。
【００３０】
前記取付金具５３を図５に示す。
取付金具５３は、側面断面視がコ字形状で薄い（たとえば、０．８ｍｍ）鉄製の長尺体であり、コ字形状の３つの面のうちの中央の面に、等間隔で長手方向に、商品選択釦４１の一部として突出部４９が挿入されるとともに取付金具５３に対する商品選択釦４１の位置決め孔としても兼用される位置決め挿通孔５４が、各商品選択釦４１毎に設けられている。すなわち、１２個の位置決め挿通孔５４が設けられている。なお、取付金具５３は前面扉１の裏面の枠体部分にねじで固定される。
【００３１】
また各位置決め挿通孔５４は、商品選択釦４１のコネクタ４６、このコネクタ４６に接続される商品選択釦駆動用の基板６３のコネクタ６２（図７参照）、および商品選択釦４１のコネクタ４６の外周に突出する突出部４９が挿通される挿通孔５５と、取付部４８のねじ孔４７に対向し、ねじが挿通される挿通孔５６を有する凸部５７と、この凸部５７を形成するために設けられた挿入部５８から構成されている。そして、挿通孔５５に商品選択釦４１の突出部４９が上下方向にも幅方向にも殆ど隙間がない状態で挿入されることで、商品選択釦４１が位置決めされるようになっている。なお、前記凸部５７の挿通孔５６は、少し大き目に形成され、商品選択釦４１の位置を規制しないように図られている。また基板６３には、複数（実施の形態では１２個）の商品選択釦４１が横に並べた状態で組み付けられる。
【００３２】
また商品選択釦４１の裏面側を保護し、取付金具５３内に設置された基板６３とこの基板６３に接続される外部配線束を覆うカバー６０を、図６に示す。
カバー６０は、側面断面視がコ字形状で薄い（たとえば、０．８ｍｍ）鉄製の長尺体であり、取付金具５３の開放部、すなわちコ字形状の３つの面のうち対向する面の先端部に挿入することで、商品選択釦４１の裏面側を保護し、取付金具５３内に設置された基板６３とこの基板６３に接続される外部配線束を覆う。
【００３３】
上記構成による商品選択釦４１の組立手順を説明する（図７参照）。
前面パネル５０を垂直に支持し、一列毎に商品選択釦４１を取り付ける。すなわち、まず前面扉１の裏面側の枠体部分に前面パネル５０を嵌め込んだ後に、前記枠体部分の両側部分に各取付金具５３を水平に取り付ける。次に、表側から商品選択釦４１の突出部４９を前面パネル５０の挿通孔５１へ挿入し、この突出部４９の取付部４８と取付金具５３の凸部５７を対向させ、ねじ（取付用部品の一例）６１を凸部５７の挿通孔５６から取付部４８のねじ孔４７へ捩じ込むことで、商品選択釦４１を前面パネル５０を介して取付金具５３に固定する。すなわち、商品選択釦４１が、前面パネル５０を商品選択釦４１と取付金具５３とにより前後から挟んだ状態で取り付けられる。
【００３４】
この場合に、図５（ｄ）や図７（ａ）に示すように、取付金具５３の挿通孔５５を精度よく形成することで、取付金具５３の挿通孔５５に商品選択釦４１を挿入して組み付けるだけで、商品選択釦４１同士の姿勢が傾いて不揃いになることはなく、商品選択釦４１を良好に配列させた状態で配設することができる。
【００３５】
このようにして、商品選択釦４１が全て前面パネル５０に取り付けられると、商品選択釦４１のコネクタ４６に基板６３のコネクタ６２を接続し、取付金具５３内を這わせた外部配線を基板６３に接続する。このように、取付金具５３は配線ダクトを兼ねている。その後、カバー６０を取付金具５３の開放部に挿入し（被せて）終了する。
【００３６】
次に、自動販売機が太陽光の影響を受ける道路等に設置され、太陽光の照射を受けたときの作用を説明する。
太陽光の照射を受けると、前面パネル５０と取付金具５３は膨張する。このとき、アクリル板製である前面パネル５０の熱膨張率が、鉄製である取付金具５３の熱膨張率より大きいので、前面パネル５０のほうが大きく膨張する。
【００３７】
このとき、上記前面パネル５０の挿通孔５１Ａ，５１Ｂ，５１Ｃの寸法により、前面パネル５０は、中央部の２個の商品選択釦４１を基準に、２Ｌの余裕値で左右方向に膨張することが許容されており、前面パネル５０が太陽の光を受けて取付金具５３より大きく膨張したときに、取付金具５３に取り付けられた商品選択釦４１が挿通孔５１の隙間を移動することにより、前面パネル５０が商品選択釦４１より受ける水平方向の圧縮応力が軽減し、取付金具５３が商品選択釦４１より受ける引張応力が軽減される。また商品選択釦４１の位置の左右のバランスが維持されて美観が維持されている。
【００３８】
また前面パネル５０の上下方向の膨張は、各列の左右端の挿通孔５１Ｂの縦方向の余裕値が少ないことにより、左右端で抑えられ、前面パネル５０が太陽の光を受けて膨張したとき、前面パネル５０が商品選択釦４１より垂直方向の圧縮応力がかかる。
【００３９】
なお、挿通孔５１Ａ，５１Ｂ，５１Ｃの縦横の余裕値は、前面パネル５０の温度が、たとえば２０℃から７０℃に上昇したときの熱膨張と、同時に膨張する取付金具５３の熱膨張との差により求めている。このことは、たとえば外気温度が２０℃から−３０℃に下降したときの熱収縮による影響も同様であるが、この場合は圧縮応力と引張応力が逆に作用する。
【００４０】
以上のように、本実施の形態によれば、商品選択釦４１を単独で取り付けることが可能な構成としたことにより、一列の商品選択釦４１の個数および間隔を自由に選択でき、商品サンプル１１のレイアウトを自由に設計でき、ユーザーの要求に自由に対応できる。
【００４１】
また本実施の形態によれば、商品選択釦４１の一列毎に取付金具５３を設けることにより、商品選択釦４１の組立作業時の不揃いが発生することがないので作業効率を改善できる。
【００４２】
また本実施の形態によれば、取付金具５３と前面パネル５０が熱膨張したときに、取付金具５３に固定された商品選択釦４１が挿通孔５１の隙間を移動することにより、前面パネル５０が商品選択釦４１より受ける圧縮応力を緩和でき、取付金具５３が商品選択釦４１より受ける引張応力を緩和でき、よって前面パネル５０と取付金具５３に発生する変形を抑えることができる。
【００４３】
また本実施の形態によれば、取付金具５３と前面パネル５０が熱膨張したときに前面パネル５０の左右への熱膨張が許容されることにより、商品選択釦４１の取付位置の左右のバランスを維持でき、美観を維持できる。
【００４４】
また本実施の形態によれば、取付金具５３が側面断面視がコ字形状の長尺体で形成されていることにより、取付金具５３を、商品選択釦４１の裏面に接続される配線のダクトとして利用できる。
【００４５】
また本実施の形態によれば、前面パネル５０の裏面に取り付けられた取付金具５３の開放部がカバー６０にて覆われることにより、商品選択釦４１の裏面にゴミや埃が付くことを回避できる。
【００４６】
なお、本実施の形態では、商品選択釦４１のコネクタ４６に基板６３のコネクタ６２を接続しているが、基板６３のコネクタ６２に限ることはなく、外部配線のコネクタを直接、商品選択釦４１のコネクタ４６に接続する構成とすることも可能である。
【図面の簡単な説明】
【００４７】
【図１】本発明の実施の形態における自動販売機の選択釦取付装置を備えた自動販売機の正面図である。
【図２】同自動販売機の選択釦取付装置の商品選択釦の図であり、（ａ）は正面図、（ｂ）は側面図、（ｃ）はＡ−Ａ’矢視断面図、（ｄ）は裏面図である。
【図３】同自動販売機の選択釦取付装置の前面パネルの正面図である。
【図４】同自動販売機の選択釦取付装置の前面パネルに設けた挿通孔の図であり、（ａ）は中央の挿通孔の拡大図、（ｂ）は左右端の挿通孔の拡大図、（ｃ）は中央の挿通孔の左右に位置する挿通孔の拡大図である。
【図５】同自動販売機の選択釦取付装置の取付金具の図であり、（ａ）は平面図、（ｂ）は正面図、（ｃ）はＡ−Ａ’断面図、（ｄ）は位置決め挿通孔の拡大図である。
【図６】同自動販売機の選択釦取付装置のカバーの図であり、（ａ）は平面図、（ｂ）は正面図、（ｃ）は側面図である。
【図７】同自動販売機の選択釦取付装置の取付図である。
【図８】従来の自動販売機の正面図である。
【図９】従来の自動販売機の内部構成図である。
【図１０】従来の自動販売機の商品選択スイッチユニットの図であり、（ａ）は正面図、（ｂ）は底面図、（ｃ）は裏面図である。
【図１１】従来の自動販売機の商品選択スイッチユニットの図であり、（ａ）は挿入部の中心を通る断面図、（ｂ）はジョインタの中心を通る断面図である。
【符号の説明】
【００４８】
１    前面扉
２    自動販売機本体
３    商品
１１  商品サンプル
４１  商品選択釦
４２  ベース
４３  ケース
４６  商品選択釦のコネクタ
４７  ねじ孔
４８  取付部
４９  突出部
５０  前面パネル
５１  挿通孔
５３  取付金具
５４  位置決め挿通孔
５５  挿通孔
５６  ねじ孔
５７  凸部
６０  カバー
６１  ねじ
６２  基板のコネクタ
６３  基板
【図１】
2007316680.tif 000003
【図２】
2007316680.tif 000004
【図３】
2007316680.tif 000005
【図４】
2007316680.tif 000006
【図５】
2007316680.tif 000007
【図６】
2007316680.tif 000008
【図７】
2007316680.tif 000009
【図８】
2007316680.tif 000010
【図９】
2007316680.tif 000011
【図１０】
2007316680.tif 000012
【図１１】
2007316680.tif 000013